(57)【要約】      （修正有）【課題】カラーコピーやパソコン画像修正で複製困難であり、シールの基材強度が低下せず、しかも、接着層の接着強度が適切で、シールを商品から剥がした後に台紙等に貼ることで破れたり接着不良や商品販売前の剥がれが起きないシールおよびシール材を提供する。【解決手段】裏面に接着層が設けられている基材層１２の表面に、パターン状の印刷層、透明な表面層が順次設けられ、前記表面層の表面が擬似エンボス表面領域１４と光沢表面領域１３とからなり、エンボス表面領域のパターンが印刷層のパターンと異なることを特徴とする擬似エンボスシールおよび擬似エンボスシール材を提供する。【選択図】図１
0003139945.tif 000002
【実用新案登録請求の範囲】
【請求項１】
裏面に接着層が設けられている基材層の表面に、パターン状の印刷層、透明な表面層が順次設けられ、前記表面層の表面が擬似エンボス表面領域と光沢表面領域とからなり、擬似エンボス表面領域のパターンが印刷層のパターンと異なることを特徴とする擬似エンボスシール。
【請求項２】
請求項１に記載の表面層がＵＶ硬化樹脂であることを特徴とする擬似エンボスシール。
【請求項３】
請求項１に記載の表面層が、擬似エンボス表面の部分では下刷りコートニス層とその上の上刷りコートニス層からなり、光沢表面部分では上刷りコートニス層のみからなることを特徴とする擬似エンボスシール。
【請求項４】
請求項１乃至３の何れかの擬似エンボスシールの接着層のさらに裏面に剥離紙を設けている擬似エンボスシール材。
【考案の詳細な説明】
【技術分野】
【０００１】
本発明は、例えば一般公衆へ販売する商品に添付するシール形式の応募シールや、懸賞シール、その他の商品交換やプレゼントと交換するのに用いられる擬似エンボスシール及びそれを商品に貼る前の擬似エンボスシール材に関し、特に、一枚では効果を発揮しない複数枚で応募や交換が可能な擬似エンボスシール及びそれを商品に貼る前の擬似エンボスシール材に関するものである。
【背景技術】
【０００２】
従来、一般公衆へ販売する商品に添付するシール形式の応募シールや、懸賞シール、その他の商品交換やスポーツチームのプレミアム等のプレゼントと交換するのに用いられるシール及びシールを商品に貼る前のシール材に関し複数枚集めてこれを台紙等に添付して応募や交換が可能なシール及びシールを商品に貼る前のシール材が用いられていた。この様なシール形式の応募シールや、懸賞シールは、偽造防止を目的として高度な印刷が行われることが少なくなかった。
【０００３】
とくに、この様なシールは、キャーンペーンに使用するラベルの枚数が多く、高度な偽造防止手段を用いると採算割れとなるために、簡易な偽造防止手段で偽造防止を行う必要があった。
【０００４】
他方、この様な商品に添付するシール形式の応募シールや、懸賞シール、その他の商品交換やプレゼントと交換するのに用いられるシール及びシールを商品に貼る前のシール材に関し複数枚集めてこれを台紙等に添付して応募や交換が可能なシールの場合、一枚でも規定枚数に達しなければ一般に無価値であり、あと一枚のような状況においては偽造の誘因が多く発生しており、この様な状況から、カラーコピーなどの手段による偽造が発生しやすい状況にあった。
【０００５】
また、この様な状況におけるプレゼントとしては、製造単価の安いものが用いられる場合が多いが、他方、市販品ではなくプレゼント専用の特製品が用いられる場合も多く、特に非売品デザインのプレゼントはファンによる収集対象になる場合も発生しており、この様な状況を契機としても、カラーコピーなどの手段による偽造が発生しやすい状況にあった。
【考案の開示】
【考案が解決しようとする課題】
【０００６】
しかし、従来提案されてきた応募シールや、懸賞シール、その他の商品交換やプレゼントと交換するのに用いられるシールは、偽造防止手段として従来は十分なものであったが、近来はカラーコピーの発達により容易に偽造できる場合が少なくなかった。
【０００７】
これに対して、印刷技術の向上によりカラーコピーを防止する偽造防止技術も多く用いられていたが、これらの方法も、最近のスキャナーやプリンタの技術の発達や画像処理ソフトウエアの発達により、スキャナーを読み取り、パソコンで画像修正し、プリンタで出力する偽造方法が用いられる様になってきた。
【０００８】
この様な偽造方法に対応して、最近では用紙自体にエンボス加工を行う偽造防止手段が知られている。これは、単なる印刷による偽造防止では、スキャナーを読み取り、パソコンで画像修正し、プリンタで出力する偽造防止方法に対抗することが困難になってきているからである。これは、印刷が済んだ応募シールや、懸賞シール、その他の商品交換やプ
レゼントと交換するのに用いられるシールに対し、凹凸がある型で型押しし、その形状の凹凸を物理的に紙の表面に設ける方法である。これにより、スキャナーを読み取り、パソコンで画像修正し、プリンタで出力する偽造防止方法では、複製や偽造が困難になり、これにより防止が困難になるものである。
【０００９】
しかし、エンボスされたシールの場合、別途加圧用の版が必要となり、また、この加圧工程は印刷工程とインラインで構成するのは容易でなく、結果として別工程とするので価格的に問題があっただけでなく、製造時間がかかってしまい、納期的に問題があった。
【００１０】
さらに、エンボス加工により基材層や接着層まで加圧されてしまい、シール全体の強度が落ちてしまう欠点があった。このことは、本考案のシールは一度商品等に貼った後、消費者がこのシールを剥がし、さらに台紙等に貼る様な使い方をするために、そのシールが破けるような場合には、消費者に責任がないにも関わらずシールが無効になってしまうため、商品自体に悪い印象を与える可能性があった。特に、この様な破れは、エンボス端面に沿って発生しやすいものであった。
【００１１】
また、この様なエンボス加工は、破れの問題だけでなく、接着においても問題が発生していた。すなわち、本考案のシールは一度商品等に貼った後、消費者がこのシールを剥がし、さらに台紙等に貼る様な使い方をするために、確実に消費者に商品が渡るまではシールが剥がれ易いものであっていけないが、他方、消費者が商品入手後はこのシールが剥がれ易いものでなければならない。この場合、エンボス処理されたシールの場合には、エンボスの効果が接着面にまで影響を及ぼし、エンボス部と非エンボス部ではその接着強度に差が生じてしまう場合があった。従って、エンボス処理を前提とした、エンボス部と非エンボス部の両方で、輸送時に剥がれることのない様な確実な接着強度と、消費者が容易に剥がすことが可能な接着強度との、両方の接着強度の要件を満たす接着剤を選択することが容易ではないものであった。
【００１２】
そこで、本願はカラーコピーによっては複製困難で、しかも、スキャナーを読み取り、パソコンで画像修正し、プリンタで出力する偽造手段によっても複製困難であり、加えてシールの基材強度が低下せず、しかも、接着面の接着強度が適切で、一度商品等に貼った後、消費者がこのシールを剥がし、さらに台紙等に貼る様な使い方をすることが可能な、一般公衆へ販売する商品に添付するシール形式の応募シールや、懸賞シール、その他の商品交換やプレゼントと交換するのに用いられるシール及びそれを商品に貼る前のシール材を提供することを目的とする。
【課題を解決するための手段】
【００１３】
本考案の請求項１に係わる考案として、裏面に接着層が設けられている基材層の表面に、パターン状の印刷層、透明な表面層が順次設けられ、前記表面層の表面が擬似エンボス表面領域と光沢表面領域とからなり、擬似エンボス表面領域のパターンが印刷層のパターンと異なることを特徴とする擬似エンボスシールを提供するものである。
【００１４】
また、本発明の請求項２に係わる考案として、請求項１に記載の表面層がＵＶ硬化樹脂であることを特徴とする擬似エンボスシールを提供するものである。
【００１５】
また、本発明の請求項３に係わる考案として、請求項１に記載の表面層が、擬似エンボス表面の部分では下刷りコートニス層とその上の上刷りコートニス層からなり、光沢表面部分では上刷りコートニス層のみからなることを特徴とする擬似エンボスシールを提供するものである。
【００１６】
また、本発明の請求項４に係わる考案として、請求項１乃至３の何れかの擬似エンボス
シールの接着層のさらに裏面に剥離紙を設けている擬似エンボスシール材を提供するものである。
【考案の効果】
【００１７】
以上の様に請求項１に係る本考案によれば、カラーコピーによっては複製困難で、しかも、スキャナーを読み取り、パソコンで画像修正し、プリンタで出力する偽造手段によっても複製困難であり、加えてシールの基材強度が低下せず、しかも、接着面の接着強度が適切で、一度商品等に貼った後、消費者がこのシールを剥がし、さらに台紙等に貼る様な使い方をすることが可能な、一般公衆へ販売する商品に添付するシール形式の応募シールや、懸賞シール、その他の商品交換やプレゼントと交換するのに用いられる擬似エンボスシールを提供することが可能になった。
【００１８】
また、請求項２に係る本考案によれば、具体的に安価な工程で製造可能な構成の擬似エンボスシールを提供することが可能になった。
【００１９】
また、請求項３に係る本考案によれば、さらに具体的に安価な工程で、その層構成ごとの製造も容易であることが可能な構成の擬似エンボスシールを提供することが可能になった。
【００２０】
また、請求項４に係る本考案によれば、カラーコピーによっては複製困難で、しかも、スキャナーを読み取り、パソコンで画像修正し、プリンタで出力する偽造手段によっても複製困難であり、加えてシールの基材強度が低下せず、しかも、接着面の接着強度が適切で、一度商品等に貼った後、消費者がこのシールを剥がし、さらに台紙等に貼る様な使い方をすることが可能な、一般公衆へ販売する商品に添付するシール形式の応募シールや、懸賞シール、その他の商品交換やプレゼントと交換するのに用いられる擬似エンボスシールに用いられる、剥離紙から剥離前のシール材を提供することが可能になった。
【考案を実施するための最良の形態】
【００２１】
本考案の擬似エンボスシールおよび擬似エンボスシール材の最良の形態につき、擬似エンボスシールが応募シールである場合の一例を、図面を用いて説明する。
【００２２】
図１は、本考案の擬似エンボスシール材の一例の平面図である。また、図２は、本考案の擬似エンボスシール材の一例の概念断面図である。
【００２３】
本考案の擬似エンボスシール材は、剥離紙１１、２１上に一般的には複数個載っている様に擬似エンボスシールが形成されているものであり、
擬似エンボスシールは、剥離紙１１、２１上に接着層２２を介して基材層１２、２３が設けられ、その上に印刷層２７が部分的に形成されている。また、さらにその上には、印刷層２７がない部分を含めて透明な表面層（２４と２５と２６の部分）が設けられているが、その表面層は文字状の場合、例えば図１の例では○○ビールとなっている領域のみ表面が乱反射表面の擬似エンボス表面１４になっている擬似エンボス表面領域であり、他の表面層は平坦な光沢表面１３となっている光沢表面領域である。この両領域とも表面層は透明であるので、印刷層２７があるパターン状の部分では印刷層２７が、パターン状の印刷層２７がない部分では基材層１２、２３が平面上方からは透けて見えている。この場合、擬似エンボス表面１４とその周囲は、同一の色の印刷層となっている。
【００２４】
この表示は、商品名としての○○ビールであるが、この他、野球、サッカー等のスポーツチーム等の景品表示を行うものや、その他の表示であっても構わない。
【００２５】
この場合の剥離紙１１、２１としては、最終的にラベルとして用いられる部材ではない
ので、その性質等はその表面が接着層２２から容易に剥がすことができる性質であればどの様な材質でも良いが、一般的には基材層として紙、樹脂、各種プラスチックフィルムなどを用いることが可能だが、抜き加工を考慮して厚さは３８μｍ以上が好ましい。次に接着層としては、その材質としてアクリル系粘着材などを用いることが可能で、そのときの厚さの範囲としては、１５〜３０μｍ程度が実際的である。次に、印刷層については、各種の色や材質、パターンなどが可能であるが、そのデザインとしてはその擬似エンボスシールの使用目的が明瞭になるような記載がされていることが一般的であり、キャンペーン、応募シールや、×枚集めてプレゼントをもらおうなどの表示がされるとともに、キャンペーンの主体もしくは連絡先として電話番号やＵＲＬなどが表示される印刷も可能である。もちろん、その印刷は文字情報のみならず、写真や絵、イラスト等であっても構わない。次に、表面層は透明であることが必要であるが、完全に透明である必要はなく、半透明、着色透明などであっても、印刷層が透過して見える性質のものであればその材質は問わないが、後述の様にＵＶ硬化樹脂を硬化させた方が製造が容易であり実際的である。
【００２６】
ＵＶ硬化樹脂で表面層を構成する場合、単一の材質のＵＶ硬化樹脂で構成するものでもよいが、擬似エンボス表面の領域を部分的に構成するには、擬似エンボス表面の領域では下刷りコートニス層とその上の上刷りコートニス層からなり、擬似エンボス表面領域以外の部分である光沢表面領域では上刷りコートニス層のみからなる構成が製造が容易である。
【００２７】
この場合の下刷りコートニス層としては、弾き成分を添加したＵＶインキなどの材料を使用できる。また、この上刷りコートニス層としては、光沢ツヤ出しインキなどの材料を使用でき、光沢領域における厚さとしては１〜１５μｍなど、擬似エンボス領域における厚さとしては１〜１３μｍなどが実際的である。
【００２８】
この擬似エンボスシール材は、剥離紙から一枚ずつ剥がして、瓶や缶などの容器に添付する。この場合、販売まではこの擬似エンボスシールの接着層により接着しているが、販売後は購入者もしくは消費者が容易に剥がすことが可能であるが、剥がしても接着性能は保持したままであり、これを応募等のための台紙に再接着することが可能である。
【００２９】
この様な擬似エンボスシールをカラーコピーすると、図６の様に、擬似エンボス表面と光沢表面とでは区別できず、非印刷パターン部分６１と印刷パターン部分６２を区別でき、その印刷パターン部分６２では印刷層２７がそのまま再現され、非印刷パターン部分６１では基材層１２がそのまま再現されるのみである。
【００３０】
これは、平面スキャンするカラーコピーにおいては、その受光によってはその表面状態が光沢表面であるか、乱反射する擬似エンボス表面であるは判別されず、単にその色彩のみを認識できるに過ぎないからである。従って、カラーコピーによっては本願考案の擬似エンボスシールは偽造できない。
【００３１】
また、カラースキャナーにより本願考案の擬似エンボスシールをスキャンした結果も、同様である。ここで、読み取った画像をパソコンで編集することが考えられるが、画像データにはその色情報は存在するが、その表面状態である光沢とか、その表面が擬似エンボスであるとかの情報は存在しないので、編集しようにも編集できない。
【００３２】
次に、この様な擬似エンボスシールの製造方法について以下説明する。
【００３３】
まず、剥離紙３１に接着層３２を全面塗布して設ける。その剥離紙３１の接着層３２を設けた側と基材層３３を貼り合わせる。さらに、基材層３３上に印刷層３７を印刷機で多色印刷する。次にＵＶインクにてパターン状に下刷りコートニス層３５を印刷機にて印刷
する。これにより、図３の様なパターン状の印刷層３７が設けられた状態の概念断面図になる。
【００３４】
ここで、ＵＶ光を表面から全面照射することにより、下刷りコートニス層３５をＵＶ硬化して、硬化した下刷りコートニス層４５となり、図４の様になる。
【００３５】
引き続いて、別なＵＶインクにて全面に又はパターン状に上刷りコートニス層５４、５６をコーターで又は公知の印刷方法で設け、図５のように形成する。この場合、硬化した下刷りコートニス層５５がない領域では、印刷層５７と反撥しないので、コートにより平滑な表面の領域の上刷りコートニス層５４となるが、硬化した下刷りコートニス層５５がある領域では、ニスどうしが反撥し、結果的に上刷りコートニス層５６の表面は適度に荒れ、擬似エンボス状態の表面の領域となる。
【００３６】
ここで、ＵＶ光を表面から全面照射することにより、上刷りコートニス層５４、５６がＵＶ硬化して、硬化した上刷りコートニス層２４、２６となり、これにより表面層が出来あがり、図２の様になる。
【００３７】
さらに、表面より剥離紙２１まで貫通する半抜き加工を施し、シールとして用いられない部分の基材層２３を、接着層２２、印刷層２７、表面層がある場合はそれらを伴って巻き取り除去することで、その半抜き加工による切り目に従って、擬似エンボスシールとなる部分だけ残して抜きしろが連続して除去され、これにより擬似エンボスシール材が完成する。
【００３８】
この様な、擬似エンボスシール材は、商品やその容器に貼る直前に剥離紙１１より剥離させることで擬似エンボスシールとなり、商品やその容器に貼って用いられる。
【実施例】
【００３９】
一般的な剥離基材とその表面の剥離樹脂からなる剥離紙を用意し、その表面からその成分がシリコーン系樹脂を溶質とする塗布液で、厚さ１μｍ以下になる様に塗布する。
【００４０】
次に、厚さ６０〜８０μｍのプラスチック系フィルムからなる基材層となる材料を貼り合わせる。
【００４１】
次に、基材層表面に、応募シール、ご愛飲キャンペーン、電話番号、その他の地色などからなるシール部分の絵柄を多面付けしたパターンを多色印刷する。
【００４２】
さらに、シリカ、シリコン等の弾き成分を含むＵＶメジウムからなるコート剤を○○ビールというパターンで公知の印刷方法を施すことで、下刷りコート層を形成する。
【００４３】
次に、ＵＶ光を表面から全面に照射し、下刷りコート層をＵＶ硬化する。
【００４４】
この上から全面に光沢、ツヤ出し効果の有するＵＶインクからなるコート剤をパターンで印刷機により印刷することで上刷りコート層を形成する。
【００４５】
次に、ＵＶ光を表面から全面に照射し、上刷りコート層をＵＶ硬化する。
【００４６】
次に、円形が複数密集している形状で、その円形がシールの外形形状に位置合わせされている形状の抜き刃で、表面から剥離紙まで貫通する様に半抜き加工を施し、最後に、抜きしろを端より巻き取り除去する。
【００４７】
この様にして出来た擬似エンボスシール材は、軽く折り曲げる様にすることで、擬似エンボスシールの端部が剥離紙より浮き上がり、その部分より剥離紙より剥離することで独立した擬似エンボスシールとなった。
【００４８】
これをビールのアルミ缶に貼り付けたところ、しっかり貼ることができた。
【００４９】
さらにこのビールのアルミ缶から、この擬似エンボスシールを別途用意した応募台紙に貼り付けることが可能で、この状態でこの擬似エンボスシールを見たところ、ほとんどの領域では光沢表面となっているが、○○ビールという領域のみが乱反射し、○○ビールという擬似エンボスのパターンを読み取ることができた。
【００５０】
さらに、この擬似エンボスシールをカラーコピー用光沢紙にカラーコピーしたところ、印刷層はそのまま複写されパターンが判別できるが、○○ビールという擬似エンボス領域は周囲の光沢領域と区別されず印刷パターンのみしか判別できないので、どこに○○ビールという領域があったのは判別できなかった。
【００５１】
これにより、応募に必要な全ての枚数の擬似エンボスシールが真正なものかを容易に一覧して同時に判断することができる。
【図面の簡単な説明】
【００５２】
【図１】本考案の擬似エンボスシール材の一例の平面図である。
【図２】本考案の擬似エンボスシール材の一例の概念断面図である。
【図３】本考案の擬似エンボスシール材の製造途中の一例の概念断面図であり、特に下刷りニス層を形成直後の概念断面図である。
【図４】本考案の擬似エンボスシール材の製造途中の一例の概念断面図であり、特に下刷りニス層をＵＶ硬化直後の概念断面図である。
【図５】本考案の擬似エンボスシール材の製造途中の一例の概念断面図であり、特に上刷りニス層を形成直後の概念断面図である。
【図６】本考案の擬似エンボスシールをカラーコピーで複写した場合の一例の平面図である。
【符号の説明】
【００５３】
１１、２１、３１、４１、５１・・・剥離紙
１２・・・基材層
１３・・・光沢表面
１４・・・擬似エンボス表面
２２、３２、４２、５２・・・接着層
２３、３３、４３、５３・・・基材層
２５、４５、５５・・・ＵＶ硬化した下刷りニス層
２４、２６・・・ＵＶ硬化した上刷りニス層
３５・・・下刷りニス層
５４、５６・・・上刷りニス層
２７、３７、４７、５７・・・印刷層
６１・・・非印刷パターン部分
６２・・・印刷パターン部分
【図１】
0003139945.tif 000003
【図２】
0003139945.tif 000004
【図３】
0003139945.tif 000005
【図４】
0003139945.tif 000006
【図５】
0003139945.tif 000007
【図６】
0003139945.tif 000008